(57)【要約】      （修正有）【課題】使用寿命及び搭載重量を向上させられるディスプレイ棚搭載板の側板補強構造を提供する。【解決手段】ディスプレイ棚搭載板の側板補強構造１００は、板体１、板体１下方に設置し、且つ板体１の軸方向に平行で、且つ板体１の長さより短く、板体１の両端を両端に突出させる補強梁２、Ｕ型槽部３１及び平板部３２を有する側板部材３を有する。Ｕ型槽部３１の開口は下向きで、且つＵ型槽部３１の頂点端と板体１のどちらか一方の端の下表面とは連接し、Ｕ型槽部３１の片側と補強梁２とは隣り合い、平板部３２はＵ型槽部３１が隣り合う補強梁２の片側の底部から補強梁２方向へと延伸し、且つ平板部３２と補強梁２の底端とは連接する。【選択図】図６
0003197655.tif 000002
【実用新案登録請求の範囲】
【請求項１】
ディスプレイ棚搭載板の側板補強構造は、板体、補強梁、側板部材を有し、
前記補強梁は、前記板体下方に設置され、且つ前記板体の軸方向に平行で、且つ前記補強梁の長さは、前記板体の長さより短く、これにより前記板体の両端は、前記補強梁の両端に突出し、
前記側板部材は、U型槽部及び平板部を有し、前記U型槽部の開口は下向きで、且つ前記U型槽部の頂点端と前記板体のどちらか一方の端の下表面とは連接し、前記U型槽部の片側と前記補強梁とは隣り合い、前記平板部は、前記U型槽部が隣り合う前記補強梁の片側の底部から、前記補強梁方向へと延伸し、且つ前記平板部と前記補強梁の底端とは連接する
ことを特徴とするディスプレイ棚搭載板の側板補強構造。
【請求項２】
前記U型槽部内には、少なくとも１個の凸起を形成することを特徴とする請求項１に記載のディスプレイ棚搭載板の側板補強構造。
【考案の詳細な説明】
【技術分野】
【０００１】
本考案はディスプレイ棚搭載板の設備に関し、特にディスプレイ棚搭載板の側板補強構造に関する。
【背景技術】
【０００２】
従来のディスプレイ棚搭載板の側板補強構造１０は、図１〜図３に示すとおり、側板部材４０は逆L型を呈し、且つ側板部材４０の頂点端は板体２０の一方の端の下表面に密着する。補強梁３０は一部分と板体２０の下表面とが密着し、反対部分は側板部材４０と板体２０下表面が連接する部分の下表面が密着する。
【０００３】
しかしながら、側板部材４０と板体２０下表面とが連接する部分は、板体２０の下表面との間に、段差を形成する。よって、補強梁３０はこの段差位置で、板体２０の下表面と密着することができない。
【考案の概要】
【考案が解決しようとする課題】
【０００４】
前記先行技術では、段差位置の補強梁３０と板体２０の下表面には、間隙Gを生じるが、この間隙Gの発生により、長時間使用したなら、補強梁３０は、段差位置で板体２０を離脱し、補強機能は低下し、使用寿命を短くしてしまう欠点がある。
【課題を解決するための手段】
【０００５】
本考案では、補強梁は板体の下表面に直接密着して固定され、サポートの使用寿命及び搭載重量を向上させられ、補強梁は板体と密着させる必要があるため、側板部材は補強梁と板体との間の構造に対応し、U型槽部及び平板部を形成し、同様に板体は補強梁の構造に結合し、ディスプレイ棚上に設置され、且つU型槽部及び平板部の設計は、搭載板の板体の側辺におけるサポート重量を高めることができるディスプレイ棚搭載板の側板補強構造に関する。
【０００６】
本考案によるディスプレイ棚搭載板の側板補強構造は、板体、補強梁、側板部材を有する。該補強梁は、該板体下方に設置され、且つ該板体の軸方向に平行で、且つ該補強梁の長さは、該板体の長さより短く、これにより該板体の両端は、該補強梁の両端に突出する。該側板部材は、U型槽部及び平板部を有し、該U型槽部の開口は下向きで、且つ該U型槽部の頂点端と該板体のどちらか一方の端の下表面とは連接し、該U型槽部の片側と該補強梁とは隣り合い、該平板部は、該U型槽部が隣り合う該補強梁の片側の底部から、該補強梁方向へと延伸し、且つ該平板部と該補強梁の底端とは連接する。
【０００７】
本考案によるもう一つのディスプレイ棚搭載板の側板補強構造は、該U型槽部内には、少なくとも１個の凸起を形成する。
【０００８】
本考案の実施形態を応用する特徴の一つとして、補強梁は板体の下表面に直接密着して固定され、サポートの使用寿命及び搭載重量を向上させられ、補強梁は板体と密着させる必要があるため、側板部材は補強梁と板体との間の構造に対応し、U型槽部及び平板部を形成し、同様に板体は補強梁の構造に結合し、ディスプレイ棚上に設置され、且つU型槽部及び平板部の設計は、搭載板の板体の側辺におけるサポート重量を高めることができる。
【図面の簡単な説明】
【０００９】
【図１】従来のディスプレイ棚搭載板の側板補強構造の分解模式図である。
【図２】従来のディスプレイ棚搭載板の側板補強構造の部分拡大模式図である。
【図３】従来のディスプレイ棚搭載板の側板補強構造の断面模式図である。
【図４】本考案の一実施形態によるディスプレイ棚搭載板の側板補強構造の分解模式図である。
【図５】本考案の一実施形態によるディスプレイ棚搭載板の側板補強構造の外観透視模式図である。
【図６】本考案の一実施形態によるディスプレイ棚搭載板の側板補強構造の部分拡大模式図である。
【図７】本考案の一実施形態によるディスプレイ棚搭載板の側板補強構造の断面模式図である。
【図８】本考案の一実施形態によるディスプレイ棚搭載板の側板補強構造をディスプレイ棚に固定する部分拡大模式図である。
【図９】本考案の一実施形態によるディスプレイ棚搭載板の側板補強構造をディスプレイ棚に固定する模式図である。
【考案を実施するための形態】
【００１０】
（一実施形態）
図４〜図９に示すとおり、本考案ディスプレイ棚搭載板の側板補強構造１００は、板体１、補強梁２、及び側板部材３を有する。
【００１１】
板体１は、おおよそ長矩形を呈し、ディスプレイ棚２００の搭載板として使用される。
【００１２】
補強梁２は、細長い形状を呈し、板体１下方に設置し、且つ板体１の軸方向に平行である。且つ補強梁２の長さは板体１の長さより短く、こうして板体１の両端は、補強梁２の両端に突出する。これにより、補強梁２の設置を通して、長矩形のような板体１に長時間品物をディスプレイすることで湾曲が生じることを回避できる。こうして板体１の使用寿命を延長することができる。
【００１３】
さらに、補強梁２は板体１の下表面に直接密着するため、両者間には間隙が生じない。こうして、板体１の搭載重量を拡大することができる。
【００１４】
側板部材３は、U型槽部３１及び平板部３２を有する。U型槽部３１の開口は下向きで、且つU型槽部３１の頂点端と板体１のどちらか一方の端の下表面とは連接し、U型槽部３１の片側と補強梁２とは隣り合う。平板部３２は、U型槽部３１が隣り合う補強梁２の片側の底部から、補強梁２方向へと延伸し、且つ平板部３２と補強梁２の底端とは連接する。さらに、U型槽部３１内には、少なくとも１個の凸起３３を形成し、これによりディスプレイ棚２００上に固定される。
【００１５】
上述の構造により、補強梁２は、板体１の下表面に直接密着して固定され、サポートの使用寿命及び搭載重量を高めることができる。補強梁２は板体１と密着させる必要があるため、側板部材３は、補強梁２と板体１の間の構造に対応し、U型槽部及び平板部を形成する。こうして同様に、板体１が結合する補強梁２の構造は、ディスプレイ棚上に設置され、且つU型槽部及び平板部の設計は、搭載板の板体の側辺におけるサポート重量を高めることができる。
【００１６】
前述した本考案の実施形態は本考案を限定するものではなく、よって、本考案により保護される範囲は後述される実用新案登録請求の範囲を基準とする。
【符号の説明】
【００１７】
１００  ディスプレイ棚搭載板の側板補強構造
１  板体
２  補強梁
３  側板部材
３１  U型槽部
３２  平板部
３３  凸起
２００  ディスプレイ棚
１０  ディスプレイ棚搭載板の側板補強構造
２０  板体
３０  補強梁
４０  側板部材
G    間隙
【図１】
0003197655.tif 000003
【図２】
0003197655.tif 000004
【図３】
0003197655.tif 000005
【図４】
0003197655.tif 000006
【図５】
0003197655.tif 000007
【図６】
0003197655.tif 000008
【図７】
0003197655.tif 000009
【図８】
0003197655.tif 000010
【図９】
0003197655.tif 000011